(57)【特許請求の範囲】
【請求項１】
標本からの観察光を検出する光検出部と、
内容物を出入可能にする開口部を有し、前記光検出部を覆う遮光性を有する筐体と、
該筐体の前記開口部を閉塞可能な遮光性を有する蓋部と、
前記光検出部による光の検出を制限する光検出制限部と、
該光検出制限部により前記光の検出が制限されている場合にのみ、前記蓋部による閉塞状態から前記開口部を開放可能にする開放制限部とを備え、
前記筐体が、前記標本を収容する標本収容部と、前記光検出部を収容し前記標本収容部からの前記光が入射可能に該標本収容部に連結された検出系収容部とを有し、前記標本収容部に前記開口部が配されている観察装置。
【請求項２】
前記光検出制限部が、前記光検出部に入射しようとする前記光を遮断可能なシャッタと、該シャッタによる前記光の遮断と通過を切り替える切換部とである請求項１に記載の観察装置。
【請求項３】
前記光検出制限部が、前記光検出部を駆動させる駆動電圧の印加を低減する請求項１に記載の観察装置。
【請求項４】
前記開放制限部が、前記蓋部を開放不能な状態に維持可能なロック機構を備え、
該ロック機構が、前記蓋部が開放不能なロック状態と前記蓋部が開放可能なロック解除状態とを切り替え可能であり、
前記光検出制限部が、前記ロック機構が前記ロック状態から前記ロック解除状態に切り替え始めかつ前記ロック解除状態になる前は、前記光検出部による光の検出を制限し、前記ロック状態のときは、前記光検出部による光の検出を制限しない請求項１から請求項３のいずれかに記載の観察装置。
【発明の詳細な説明】
【技術分野】
【０００１】
本発明は、観察装置に関するものである。
【背景技術】
【０００２】
従来、光電子増倍管（以下、単に「ＰＭＴ」という）やＥＭ−ＣＣＤのような高感度な光検出器を備え、過大な光が入射することによるこれらの光検出器の劣化または損傷を防止する観察装置が知られている（例えば、特許文献１および特許文献２参照。）。
【０００３】
特許文献１に記載の顕微鏡は、所定の閾値を超える光強度信号が連続する複数の画素に亘って光検出器から出力されたか否かを判定し、出力されたと判定された場合に光検出器に印加するＨＶ（Ｈｉｇｈ  Ｖｏｌｔａｇｅ）をゼロにしている。また、特許文献２に記載の観察装置は、検出器等を収容する暗箱の蓋の開状態をセンサにより検出し、蓋が開状態になったことが検出された場合にシャッタにより光検出器への光の入射を遮断している。
【先行技術文献】
【特許文献】
【０００４】
【特許文献１】特開２０１３−７６７２３号公報
【特許文献２】特開２００９−１３９４７５号公報
【発明の概要】
【発明が解決しようとする課題】
【０００５】
しかしながら、特許文献１に記載の顕微鏡では、光検出器自体が検出した光の強度信号に基づいて光検出器に印加するＨＶを制御しているため、ＨＶをゼロにする時点で光検出器に既に過大な光が入射してしまっているという不都合がある。また、特許文献２に記載の観察装置は、暗箱の蓋が開いたことをセンサが検出してからシャッタが完全に閉じるまでにタイムラグあるため、タイムラグの間に光検出器に過大光が入射してしまうという不都合がある。
【０００６】
上記目的を達成するために、本発明は以下の手段を提供する。
本発明は、標本からの観察光を検出する光検出部と、内容物を出入可能にする開口部を有し、前記光検出部を覆う遮光性を有する筐体と、該筐体の前記開口部を閉塞可能な遮光性を有する蓋部と、前記光検出部による光の検出を制限する光検出制限部と、該光検出制限部により前記光の検出が制限されている場合にのみ、前記蓋部による閉塞状態から前記開口部を開放可能にする開放制限部とを備え、前記筐体が、前記標本を収容する標本収容部と、前記光検出部を収容し前記標本収容部からの前記光が入射可能に該標本収容部に連結された検出系収容部とを有し、前記標本収容部に前記開口部が配されている観察装置を提供する。
【課題を解決するための手段】
【０００７】
上記目的を達成するために、本発明は以下の手段を提供する。
本発明は、標本からの観察光を検出する光検出部と、内容物を出入可能にする開口部を有し、前記光検出部を覆う遮光性を有する筐体と、該筐体の前記開口部を閉塞可能な遮光性を有する蓋部と、前記光検出部による光の検出を制限する光検出制限部と、該光検出制限部により前記光の検出が制限されている場合にのみ、前記蓋部による閉塞状態から前記開口部を開放可能にする開放制限部とを備える観察装置を提供する。
【０００８】
本発明によれば、蓋部により筐体の開口部が閉塞されることで、筐体の外部からの光が光検出部によって検出されてしまうのを防ぐことができる。また、筐体の開口部が開放された場合でも、光検出制限部により筐体の外部からの光が光検出部によって検出されてしまうのを制限することができる。
【０００９】
この場合において、光検出部による光の検出が光検出制限部によって制限されていない場合は、開放制限部により筐体の開口部が開放されないので、内容物を交換しようとする際などに開口部が不用意に開放されて外部からの強い光が光検出部によって検出されてしまうのを防ぐことができる。
したがって、光検出部への過大光の入射をより確実に防ぎ、過大光による光検出部の劣化や損傷を防止することができる。
【００１０】
本発明の参考例の発明としては、前記標本からの光を前記光検出部に入射させる検出光学系を備え、前記筐体が、前記検出光学系および前記検出光学系を収容する検出系収容部を有し、該検出系収容部に前記開口部が配されていることとしてもよい。
このように構成することで、検出する光に応じて検出光学系を交換するような場合に、検出光学系収容部の開口部が不用意に開放されてしまうのを防ぎ、検出光学系の周囲からの強い光が光検出部によって検出されてしまうのを防止することができる。
【００１１】
上記発明においては、前記筐体が、前記標本を収容する標本収容部と、前記光検出部を収容し前記標本収容部からの前記光が入射可能に該標本収容部に連結された検出系収容部とを有し、前記標本収容部に前記開口部が配されている。
このように構成することで、標本を交換する場合に、標本収容部の開口部が不用意に開放されてしまうのを防ぎ、標本の周囲からの強い光が検出系収容部の光検出部によって検出されてしまうのを防止することができる。
【００１２】
上記発明においては、前記光検出制限部が、前記光検出部に入射しようとする前記光を遮断可能なシャッタと、該シャッタによる前記光の遮断と通過を切り替える切換部とであることとしてもよい。
このように構成することで、切換部により、シャッタが光を通過させると光検出部により光りの検出が行われ、シャッタが光を遮断すると光検出部による光の検出が阻止される。したがって、簡易な構成で光検出部による光の検出を回避することができる。
【００１３】
上記発明においては、前記光検出制限部が、前記光検出部を駆動させる駆動電圧の印加を低減することとしてもよい。
このように構成することで、駆動電圧の印加が低減されると、光検出部による光の検出が抑制される。したがって、簡易な操作で光検出部による光の検出を制限することができる。特に、駆動電圧の印加を停止した場合は、光検出部による光の検出を阻止することができる。
上記発明においては、前記開放制限部が、前記蓋部を開放不能な状態に維持可能なロック機構を備え、該ロック機構が、前記蓋部が開放不能なロック状態と前記蓋部が開放可能なロック解除状態とを切り替え可能であり、前記光検出制限部が、前記ロック機構が前記ロック状態から前記ロック解除状態に切り替え始めかつ前記ロック解除状態になる前は、前記光検出部による光の検出を制限し、前記ロック状態のときは、前記光検出部による光の検出を制限しないこととしてもよい。
【発明の効果】
【００１４】
本発明によれば、光検出器への過大光の入射をより確実に防ぎ、過大光による光検出器の劣化や損傷を防止することができるという効果を奏する。
【図面の簡単な説明】
【００１５】
【図１】本発明の第１実施形態に係る顕微鏡を示す概略構成図である。
【図２】図１の顕微鏡における培養ユニットの筐体の開口部が開放された状態を示す図である。
【図３】図２の筐体の開口部が開放可能になった状態を示す図である。
【図４】本発明の第２実施形態に係る顕微鏡の検出ユニットを示す概略構成図である。
【発明を実施するための形態】
【００１６】
〔第１実施形態〕
本発明の第１実施形態に係る顕微鏡（観察装置）について図面を参照して以下に説明する。
本実施形態に係る顕微鏡１は、図１に示すように、光源（図示略）から発せられたレーザ光を２次元的に走査させるガルバノミラーのようなスキャナ（図示略）やレーザ光と観察光の光路を分岐するダイクロイックミラー等を有する光学ユニット３と、標本（図示略）にレーザ光を照射する対物レンズ（図示略）等を有する培養ユニット５と、レーザ光が照射された標本からの光を検出する高感度検出器（光検出部、図示略）等を有する検出ユニット７とを備えている。
【００１７】
光学ユニット３は、スキャナおよびダイクロイックミラー等を収容する直方体の箱状の筐体４を備えている。
培養ユニット５は、標本や対物レンズ等を収容する立方体の箱状の筐体６を備えている。
【００１８】
検出ユニット７は、高感度検出器等を収容する筐体８を備えている。高感度検出器としては、例えば、ＨＰＤ（Ｈｙｂｒｉｄ  Ｐｈｏｔｏｄｅｔｅｃｔｏｒ）やＧａＡｓＰ（ガリウム砒素リン）タイプＰＭＴ（Ｐｈｏｔｏｍｕｌｔｉｐｌｉｅｒ−ｔｕｂｅ）、ＥＭ−ＣＣＤ（Ｅｌｅｃｔｒｏｎ  Ｍｕｌｔｉｐｌｙｉｎｇ  ＣＣＤ）等が挙げられる。
【００１９】
これら筐体４，６，８は、いずれも遮光性の材料により形成されており、レーザ光または観察光が出入可能に連結されている。具体的には、筐体４と筐体６は、光学ユニット３のスキャナにより走査されたレーザ光が培養ユニット５に入射する一方、培養ユニット５の標本からの観察光が光学ユニット３に入射するように連結されている。また、筐体４と筐体８は、光学ユニット３のダイクロイックミラーにより分岐された観察光が検出ユニット７に入射するように連結されている。なお、光源と筐体４も連結されている。
【００２０】
培養ユニット５は、生細胞などの標本を生きた状態で観察するため、筐体６が標本を一定温度で維持可能な培養空間を形成しており、標本を収容する培養容器（図示略）を培養空間内に載置することができるようになっている。この筐体６は、正面に標本（内容物）等を交換可能に開口する開口部１１を有している。以下、図１において、筐体６の開口部１１を正面に見て、筐体６の幅方向をＸ方向とし、筐体６の高さ方向をＹ方向とする。
【００２１】
また、培養ユニット５は、図２および図３に示すように、筐体６の開口部１１を閉塞可能な扉（蓋部）１３と、検出ユニット７の高感度検出器に印加する駆動電圧のＯＮ／ＯＦＦを切り替える２つのスイッチ（光検出制限部）１５Ａ，１５Ｂと、扉１３による開口部１１の開放を制限する開放制限機構（開放制限部）１７とを備えている。
【００２２】
扉１３は、遮光性の材料により略平板状に形成されている。この扉１３は、図１に示すように、筐体６の一側面における開口部１１近傍に固定されたヒンジ１９により、開口部１１を開閉可能に取り付けられている。
【００２３】
開放制限機構１７は、図２および図３に示すように、扉１３のヒンジ１９側とは反対側の側面に取り付けられた扉側ロック機構２１と、筐体６のヒンジ１９側とは反対側の側面における開口部１１近傍に取り付けられ、扉１３を閉じた状態で扉側ロック機構２１を固定可能な筐体側ロック機構３１とにより構成されている。
【００２４】
扉側ロック機構２１は、アルファベットのＬ字状に略直角に折れ曲がった棒状のハンドル２３と、扉１３の側面に固定され、ハンドル２３を支持する支持部２５と、ハンドル２３の短手部分の先端に嵌合された環状嵌合部２７とにより構成されている。
【００２５】
ハンドル２３は、その短手部分の先端を筐体６側に向けて支持部２５により支持され、長手部分をユーザが把持することができるようになっている。
支持部２５は、ハンドル２３の短手部分を扉１３の板厚方向に延びる軸回りに回転可能に支持している。
【００２６】
環状嵌合部２７は、略環状に形成されており、互いに反対の半径方向外方に広がる２つのフランジ２８Ａ，２８Ｂを有している。フランジ２８Ａ，２８Ｂには、環状嵌合部２７の中心軸方向に沿う方向に突出する２本の押圧ピン２９Ａ，２９Ｂが取り付けられている。
【００２７】
この環状嵌合部２７は、押圧ピン２９Ａ，２９Ｂをハンドル２３の短手部分の先端側に向けるとともに、フランジ２８Ａ，２８Ｂが並ぶ方向がハンドル２３の長手部分に沿う方向に一致するように中心軸回りに位置決めされて、ハンドル２３の短手部分に固定されている。
【００２８】
筐体側ロック機構３１は、扉側ロック機構２１の環状嵌合部２７が挿入可能な貫通孔３２を有している。貫通孔３２は、環状嵌合部２７よりも若干大きく開口しており、フランジ２８Ａ，２８Ｂの形状に対応して径方向外方に広がる２つの切欠き３２ａ，３２ｂを有している。切欠き３２ａ，３２ｂは、Ｘ方向に沿って並んで形成されている。
【００２９】
このように構成された開放制限機構１７は、扉側ロック機構２１の環状嵌合部２７のフランジ２８Ａ，２８Ｂと筐体側ロック機構３１の貫通孔３２の切欠き３２ａ，３２ｂとの軸回りの位置を一致させると、筐体側ロック機構３１の貫通孔３２に扉側ロック機構２１の環状嵌合部２７を通過させることができるようになっている。筐体側ロック機構３１の貫通孔３２に扉側ロック機構２１の環状嵌合部２７を通過させることで、図２に示すように扉１３を開いて開口部１１を開放したり、図３に示すように扉１３を閉じて開口部１１を完全に閉塞したりすることができるようになっている。
【００３０】
また、環状嵌合部２７を貫通孔３２に挿入した状態で、ハンドル２３を軸回りに回転させて環状嵌合部２７のフランジ２８Ａ，２８Ｂと貫通孔３２の切欠き３２ａ，３２ｂとの軸回りの位置をずらすと、フランジ２８Ａ，２８Ｂが貫通孔３２に引っかかって扉１３が開かず、筐体６の開口部１１が開放されないようになっている。貫通孔３２に挿入した環状嵌合部２７のフランジ２８Ａ，２８Ｂを貫通孔３２の切欠き３２ａ，３２ｂに対して軸回りに９０°ずらした状態をロック状態とする。
【００３１】
スイッチ１５Ａ，１５Ｂは、検出ユニット７の高感度検出器に印加する駆動電圧をＯＮ／ＯＦＦすることにより、高感度検出器による光の検出を制限するようになっている。これらスイッチ１５Ａ，１５Ｂは、筐体側ロック機構３１の貫通孔３２近傍に取り付けられており、扉側ロック機構２１がロック状態のときに、押圧ピン２９Ａ，２９Ｂがそれぞれスイッチ１５Ａ，１５Ｂに接触するようになっている。
【００３２】
また、スイッチ１５Ａ，１５Ｂは、押圧ピン２９Ａ，２９Ｂが接触することにより押圧されると高感度検出器の駆動電圧をＯＮし、押圧ピン２９Ａ，２９Ｂが離間することにより押圧が解除されると高感度検出器の駆動電圧をＯＦＦするようになっている。
したがって、開放制限機構１７は、スイッチ１５Ａ，１５Ｂにより駆動電圧がＯＦＦされている場合にのみ、扉１３による閉塞状態から開口部１１を開放可能にするようになっている。
【００３３】
このように構成された顕微鏡１の作用について説明する。
本実施形態に係る顕微鏡１により標本を観察するには、ユーザは、培養ユニット５の筐体６の扉１３を開き、標本を収容した培養容器を培養ユニット５内に載置する。
【００３４】
次いで、図２に示すように、ユーザは、ハンドル２３を把持して扉側ロック機構２１の環状嵌合部２７のフランジ２８Ａ，２８Ｂと筐体側ロック機構３１の貫通孔３２の切欠き３２ａ，３２ｂとの軸回りの位置を一致させ、図３に示すように、貫通孔３２に環状嵌合部２７を挿入して扉１３を閉める。これにより、筐体６の開口部１１が扉１３によって閉塞される。
【００３５】
次いで、貫通孔３２に環状嵌合部２７を挿入させた状態でハンドル２３を軸回りに回転させ、環状嵌合部２７のフランジ２８Ａ，２８Ｂと貫通孔３２の切欠き３２ａ，３２ｂとの軸回りの位置を９０°ずらす。これにより、環状嵌合部２７の押圧ピン２９Ａ，２９Ｂがスイッチ１５Ａ，１５Ｂをそれぞれ押圧し、スイッチ１５Ａ，１５Ｂにより高感度検出器の駆動電圧がＯＮされる。
【００３６】
続いて、光源からレーザ光を発生させる。光源から発せられたレーザ光は、スキャナにより２次元的に走査されて対物レンズにより標本に照射される。レーザ光が照射されることにより標本において発生した観察光は、対物レンズにより集光されてレーザ光の光路を戻り、ダイクロイックミラーにより光路から分岐されて高感度検出器により検出される。例えば、図示しないＰＣ（Ｐｅｒｓｏｎａｌ  Ｃｏｍｐｕｔｅｒ）により、高感度検出器から出力される強度信号に基づいて標本の画像情報を生成することができる。
【００３７】
次に、標本を交換する場合について説明する。
本実施形態に係る顕微鏡１において標本を交換するには、ユーザがハンドル２３を把持してロック状態の環状嵌合部２７を軸回りに回転させる。環状嵌合部２７が回転し始めると、スイッチ１５Ａ，１５Ｂから押圧ピン２９Ａ，２９Ｂが離間して押圧が解除され、スイッチ１５Ａ，１５Ｂにより高感度検出器の駆動電圧がＯＦＦされる。
【００３８】
そして、図３に示すように、環状嵌合部２７のフランジ２８Ａ，２８Ｂと貫通孔３２の切欠き３２ａ，３２ｂとの軸回りの位置が一致すると、貫通孔３２から環状嵌合部２７が外れる。これにより、図２に示すように、扉１３が開いて筐体６の開口部１１が開放される。よって、筐体６内の標本を交換することができる。
【００３９】
以上説明したように、本実施形態に係る顕微鏡１によれば、高感度検出器に印加する駆動電圧がスイッチ１５Ａ，１５ＢによってＯＦＦされていない場合は、開放制限機構１７により筐体６の開口部１１が開放されないので、標本などの内容物を交換しようとする際などに開口部１１が不用意に開放されて外部からの強い光が高感度検出器によって検出されてしまうのを防ぐことができる。
【００４０】
また、扉側ロック機構２１の環状嵌合部２７のフランジ２８Ａ，２８Ｂと筐体側ロック機構３１の貫通孔３２の切欠き３２ａ，３２ｂとの軸回りの位置が９０°ずれたロック状態から、環状嵌合部２７が回転し始めてスイッチ１５Ａ，１５Ｂにより駆動電圧がＯＦＦされるまでと、環状嵌合部２７のフランジ２８Ａ，２８Ｂと貫通孔３２の切欠き３２ａ，３２ｂとの軸回りの位置が一致するまでとに時間差があるので、扉１３が開く状態になるまでに高感度検出器の印加電圧を確実にＯＦＦすることができる。
したがって、高感度検出器への過大光の入射をより確実に防ぎ、過大光による高感度検出器の劣化や損傷を防止することができる。
【００４１】
〔第２実施形態〕
次に、本発明の第２実施形態に係る顕微鏡（観察装置）について説明する。
本実施形態に係る顕微鏡４１は、図４に示すように、検出ユニット７に代えて、筐体５１が開口部５３を有する検出ユニット４３を備える点で第１実施形態と異なる。
以下、第１実施形態に係る顕微鏡１と構成を共通する箇所には、同一符号を付して説明を省略する。また、光学ユニット３および培養ユニット５については、第１実施形態と同様であるので説明を省略する。
【００４２】
検出ユニット４３は、光学ユニット３から入射する観察光を波長に応じて反射または透過して光路を分岐する分光ダイクロイックミラー４５と、分光ダイクロイックミラー４５により反射された一方の光路の観察光に含まれてくるレーザ光を遮断するバリアフィルタ４７Ａと、バリアフィルタ４７Ａを通過した観察光を検出するＰＭＴ４９Ａと、分光ダイクロイックミラー４５を透過した他方の光路の観察光に含まれてくるレーザ光を遮断するバリアフィルタ４７Ｂと、バリアフィルタ４７Ｂを通過した観察光を検出するＰＭＴ４９Ｂとを備えている。
【００４３】
また、検出ユニット４３は、上記の分光ダイクロイックミラー４５、バリアフィルタ４７Ａ，４７ＢおよびＰＭＴ（Ｐｈｏｔｏｍｕｌｔｉｐｌｉｅｒ  Ｔｕｂｅ、光検出部）４９Ａ，４９Ｂ等を収容する筐体５１と、筐体５１の開口部５３を閉塞可能な蓋（蓋部）５５と、ＰＭＴ４９Ａ，４９Ｂに印加する駆動電圧のＯＮ／ＯＦＦを切り替えるスイッチ（光検出制限部）５７と、蓋５５に一体的に形成され、筐体５１の開口部５３に嵌合可能な遮蔽部（開放制限部）５９とを備えている。
【００４４】
筐体５１は、光学ユニット３のダイクロイックミラーにより分岐された観察光が検出ユニット４３に入射するように光学ユニット３の筐体に連結されている。また、筐体５１は、遮光性を有する材料によって立方体の箱状に形成されており、正面に分光ダイクロイックミラー４５やバリアフィルタ４７Ａ，４７Ｂを交換可能に開口する開口部５３を有している。
【００４５】
蓋５５は、遮光性を有する材料により、筐体５１の開口部５３を閉塞可能な大きさの平板状に形成されている。この蓋５５は、板厚方向に貫通する２つの固定つまみ５６Ａ，５６Ｂを有している。固定つまみ５６Ａ，５６Ｂは、筐体５１における開口部５３の周縁部に対応する位置に配置されている。
【００４６】
また、固定つまみ５６Ａ，５６Ｂは、蓋５５の表面側に突出する一端をユーザが把持して、蓋５５の裏面側に突出する他端を筐体５１の開口部５３の周縁部に挿入して締結することで、開口部５３を閉塞する蓋５５を筐体５１に固定することができるようになっている。
【００４７】
遮蔽部５９は、蓋５５と同様に遮光性の材料により、筐体５１の開口部５３を周囲にわたり遮蔽可能な矩形枠状に形成されている。また、遮蔽部５９は、蓋５５の裏面から板厚方向に突出し、蓋５５が筐体５１に固定された状態で筐体５１の内部の奥深くまで入り込む長さを有している。
【００４８】
スイッチ５７は、筐体５１の内壁面に固定されている。このスイッチ５７は、蓋５５が筐体５１の開口部５３を閉塞すると、遮蔽部５９の先端により押圧されてＰＭＴ４９Ａ，４９Ｂの駆動電圧をＯＮするようになっている。また、スイッチ５７は、蓋５５の遮蔽部５９が離間して押圧が解除されると、ＰＭＴ４９Ａ，４９Ｂの駆動電圧をＯＦＦするようになっている。
【００４９】
このように構成された顕微鏡４１の作用について説明する。
本実施形態に係る顕微鏡４１により標本を観察するには、第１実施形態にと同様に、標本にレーザ光を照射し、標本からの観察光を光学ユニット３を介して検出ユニット４３に入射させる。
【００５０】
検出ユニット４３においては、光学ユニット３からの観察光が波長に応じて分光ダイクロイックミラー４５により分岐される。分光ダイクロイックミラー４５により反射された観察光は、バリアフィルタ４７Ａを通過してＰＭＴ４９Ａにより検出され、分光ダイクロイックミラー４５を透過した観察光は、バリアフィルタ４７Ｂを通過してＰＭＴ４９Ｂにより検出される。これにより、ＰＣにより、ＰＭＴ４９Ａ，４９Ｂから出力される強度信号に基づいて標本の画像情報を生成することができる。
【００５１】
次に、分光ダイクロイックミラー４５やバリアフィルタ４７Ａ，４７Ｂを交換する場合について説明する。
本実施形態に係る顕微鏡４１において分光ダイクロイックミラー４５やバリアフィルタ４７Ａ，４７Ｂを交換するには、検出ユニット４３の蓋５５の固定つまみ５６Ａ，５６Ｂをユーザが把持して筐体５１の開口部５３から蓋５５を外す。遮蔽部５９の先端がスイッチ５７から離間して押圧が解除されると、スイッチ５７により駆動電圧がＯＦＦされる。
【００５２】
遮蔽部５９は、筐体５１の開口部５３の周囲を遮蔽するとともに内部の奥深くまで挿入されているので、蓋５５を外し始めてから遮蔽部５９の先端がスイッチ５７から離間して駆動電圧がＯＦＦされるまでと、遮蔽部５９が開口部５３から完全に外されるまでとに時間差がある。したがって、ＰＭＴ４９Ａ，４９Ｂによる光の検出が確実にＯＦＦされている状態でのみ開口部５３を開放して、分光ダイクロイックミラー４５やバリアフィルタ４７Ａ，４７Ｂを交換することができる。
なお、図４では、標本からの観察光が通過するための孔が筐体５１に設けられており、遮蔽部５９にも同様の孔が設けられているが、蓋５５を外し始めてから遮蔽部５９の孔が筐体５１の外側に露出する前に、スイッチ５７はＯＦＦされるようになっている。
【００５３】
分光ダイクロイックミラー４５やバリアフィルタ４７Ａ，４７Ｂの交換が終了したら、筐体５１の開口部５３に蓋５５の遮蔽部５９を嵌合させて蓋５５を閉め、固定つまみ５６Ａ，５６Ｂにより筐体５１に蓋５５を固定する。蓋５５により開口部５３が完全に閉塞されると、遮蔽部５９の先端がスイッチ５７を押圧し、スイッチ５７によりＰＭＴ４９Ａ，４９Ｂの駆動電圧がＯＮされる。
【００５４】
以上説明したように本実施形態に係る顕微鏡４１によれば、ＰＭＴ４９Ａ，４９Ｂに印加する駆動電圧がスイッチ５７によってＯＦＦされていない場合は、遮蔽部５９により筐体５１の開口部５３が開放されないので、分光ダイクロイックミラー４５やバリアフィルタ４７Ａ，４７Ｂを交換しようとする際などに開口部５３が不用意に開放されて外部からの強い光がＰＭＴ４９Ａ，４９Ｂによって検出されてしまうのを防ぐことができる。
したがって、ＰＭＴ４９Ａ，４９Ｂへの過大光の入射をより確実に防ぎ、過大光によるＰＭＴ４９Ａ，４９Ｂの劣化や損傷を防止することができる。
【００５５】
本実施形態は、第１実施形態と同様に、標本が培養ユニット５に収容されているものとして説明したが、標本が培養ユニット５に収容されておらず、標本周辺が遮光されていない状態でも適用することができる。その場合、標本周辺からの外光がＰＭＴ４９Ａ，４９Ｂに入射する可能性があるが、暗室にて顕微鏡４１を使用すれば標本周辺からの外光の影響は少ない。ただし、暗室でも分光ダイクロイックミラー４５やバリアフィルタ４７Ａ，４７Ｂなどを交換する場合に蓋５５を開けると、液晶ディスプレー等の光量によりＰＭＴ４９Ａ，４９Ｂが劣化する場合がある。本実施形態に係る顕微鏡４１は、このような場合にもＰＭＴ４９Ａ，４９Ｂを有効に保護することができる。
【００５６】
上記各実施形態においては、スイッチ１５Ａ，１５Ｂ，５７が高感度検出器やＰＭＴ４９Ａ，４９Ｂの駆動電圧をＯＦＦすることとしたが、駆動電圧を低減することで、高感度検出器やＰＭＴ４９Ａ，４９Ｂにより過大光が検出されるのを抑制して、高感度検出器やＰＭＴ４９Ａ，４９Ｂの劣化を防止することができればよい。例えば、スイッチ１５Ａ，１５Ｂ，５７が駆動電圧をＯＦＦしないまでも極力低くすることとしてもよい。
【００５７】
また、上記各実施形態においては、光検出制限部として、高感度検出器やＰＭＴ４９Ａ，４９Ｂに印加する駆動電圧をＯＦＦするスイッチ１５Ａ，１５Ｂ，５７を例示して説明したが、これに代えて、例えば、光検出制限部は、ＰＭＴ４９に入射しようとする光を遮断可能なシャッタと、シャッタによる光の遮断と通過を切り替えるスイッチであることとしてもよい。
【００５８】
この場合、例えば、高感度検出器やＰＭＴ４９Ａ，４９Ｂに入射する光の光路上で開閉可能なシャッタと、シャッタの開閉により光の通過と遮断を切り替えるスイッチとを採用することとしてもよいし、ＰＭＴ４９に入射する光の光路に挿脱可能なシャッタと、光路からシャッタを挿脱することにより光の遮断と通過を切り替えるスイッチとを採用することとしてもよい。
【００５９】
以上、本発明の実施形態について図面を参照して詳述してきたが、具体的な構成はこの実施形態に限られるものではなく、本発明の要旨を逸脱しない範囲の設計変更等も含まれる。例えば、本発明を上記各実施形態および変形例に適用したものに限定されることなく、これらの実施形態および変形例を適宜組み合わせた実施形態に適用してもよく、特に限定されるものではない。
【符号の説明】
【００６０】
１，４１    顕微鏡
５    培養ユニット（標本収容部）
６    筐体
１３    扉（蓋部）
１５Ａ，１５Ｂ    スイッチ（光検出制限部）
１７    開放制限機構（開放制限部）
４３    検出ユニット（検出系収容部）
４５    分光ダイクロイックミラー（検出光学系）
４７Ａ，４７Ｂ    バリアフィルタ（検出光学系）
４９Ａ，４９Ｂ    ＰＭＴ（光検出部）
５１    筐体
５５    蓋（蓋部）
５７    スイッチ（光検出制限部）
５９    遮蔽部（開放制限部）
【図１】
0006526959.tif 000002
【図２】
0006526959.tif 000003
【図３】
0006526959.tif 000004
【図４】
0006526959.tif 000005